(57)【要約】【課題】安価で且つ多種類の表示内容を表示することができる表示装置を提供する。【解決手段】固定板４は、複数の遮光部と透光部とを同幅で横縞状に構成される。可動板５〜７は複数であり、複数の遮光部と透光部とを同幅で横縞状に構成され、それぞれ対応する文字列が各遮光部に跨って光を透光するように形成される。各可動板５〜７は、固定板４の平面と直交する方向から見て、その遮光部と透光部とが固定板４の遮光部と透光部と重なるように、固定板４と平行で縞模様と直交する方向に移動可能に配置される。面発光体３は、固定板４及び可動板５〜７の平面と直交する方向から発光する。駆動用アクチュエータ８は、複数の可動板のうち１つを上方向に固定板４の遮光部若しくは透光部の幅分だけ移動させ、固定板４の透光部から現れた可動板５〜７の文字列に面発光体３の光を通過させることにより、該文字列が表示される。【選択図】      図１
2004198790.tif 000002
【特許請求の範囲】
【請求項１】
複数の遮光部と透光部とを略同幅で縞模様に構成した固定板と、
複数の遮光部と透光部とを略同幅で縞模様に構成されるとともに、それぞれ対応する表示内容が所定の遮光部に跨って光を透光するように形成されており、前記固定板の平面と直交する方向から見て、その遮光部と透光部とが前記固定板の遮光部と透光部と重なるように、前記固定板と平行で前記縞模様と直交する方向に移動可能に配置される複数の可動板と、
前記固定板及び前記可動板の平面と直交する方向から発光する発光体と、
前記複数の可動板のうち１つを前記縞模様と直交する方向に前記固定板の遮光部若しくは透光部の幅分だけ移動させ、前記固定板の透光部から現れた前記可動板の表示内容に前記発光体の光を通過させることにより該表示内容を表示させるための駆動用アクチュエータと、
を備えたことを特徴とする表示装置。
【請求項２】
請求項１に記載の表示装置において、
前記複数の可動板は、前記固定板の平面と直交する方向から見て、それぞれ重ならない位置に該可動板の移動方向一方に突出する突出部を有し、
前記駆動用アクチュエータは、その駆動により前記縞模様と平行な方向に往復直線移動する可動体を有し、前記複数の可動板のうち１つを前記縞模様と直交する方向に前記固定板の遮光部若しくは透光部の幅分だけ押し出すように前記可動体を前記各突出部と対応する複数の位置のいずれかに配置することを特徴とする表示装置。
【請求項３】
請求項２に記載の表示装置において、
前記突出部及び前記可動体の少なくとも一方には、該可動体の前記縞模様と平行な方向への移動を、該突出部を有する前記可動板の前記縞模様と直交する方向への移動に変換する斜面が形成されていることを特徴とする表示装置。
【請求項４】
請求項１〜３のいずれか１項に記載の表示装置において、
前記固定板及び可動板には、該可動板が他の可動板、前記固定板及び前記発光体に密着することを防止するための突起が形成されていることを特徴とする表示装置。
【請求項５】
請求項１〜４のいずれか１項に記載の表示装置において、
前記駆動用アクチュエータは、回転駆動する電動モータと、該電動モータの回転を前記可動体の往復直線運動に変換する駆動機構とを備えていることを特徴とする表示装置。
【発明の詳細な説明】
【０００１】
【発明の属する技術分野】
本発明は、文字や図形、記号等の複数の表示内容を表示するための表示装置に関する。
【０００２】
【従来の技術】
この種の装置には、例えば、特許文献１に示されている調光装置のようなものがある。この文献の調光装置は、駆動源として静電アクチュエータを備えている。静電アクチュエータは互いに平行に配置される固定子と移動子とから構成されており、固定子及び移動子はそれぞれ透明体よりなる。固定子及び移動子には、遮光部と透光部とが同幅で横縞状に構成された遮光板がそれぞれ固定されている。アクチュエータは、移動子側遮光板の遮光部及び透光部が、固定子側遮光板の遮光部及び透光部と一致する第１の位置と、固定子側遮光板の遮光部及び透光部と一致しない（固定子側遮光板の透光部及び遮光部と一致する）第２の位置との２つの位置に切換配置するように動作する。
【０００３】
又、このような移動子側遮光板には、各透光部に跨って第１の表示内容（文字や図形等）が光を遮るように形成されるとともに、各遮光部に跨って第１の表示内容とは異なった第２の表示内容が光を通すように形成されている。そして、アクチュエータの駆動により移動子が第１の位置に配置されると、移動子側遮光板の遮光部に跨って形成された第２の表示内容が固定子側遮光板の遮光部により遮られ、透光部に跨って形成された第１の表示内容が表示される。一方、アクチュエータの駆動により移動子が第２の位置に配置されると、移動子側遮光板の透光部に跨って形成された第１の表示内容が固定子側遮光板の遮光部により遮られ、遮光部に跨って形成された第２の表示内容が表示されるようになっている。
【０００４】
【特許文献１】
特開平９−６７９８４号公報
【０００５】
【発明が解決しようとする課題】
しかしながら、上記した文献の装置では、２種類の表示内容しか表示することができず、３種類以上の多種類の表示内容を表示するといった要求に応えることができなかった。
【０００６】
又、液晶パネル等の表示パネルと表示コントローラとを用いて表示装置を構成し、この表示装置にて多種類の表示内容を表示する手法もあるが、これは高価な装置であるため、安価で且つ多種類の表示内容を表示可能な表示装置を製作することが望まれている。
【０００７】
本発明は、上記問題点を解決するためになされたものであって、その目的は、安価で且つ多種類の表示内容を表示することができる表示装置を提供することにある。
【０００８】
【課題を解決するための手段】
上記問題点を解決するため、請求項１に記載の発明は、複数の遮光部と透光部とを略同幅で縞模様に構成した固定板と、複数の遮光部と透光部とを略同幅で縞模様に構成されるとともに、それぞれ対応する表示内容が所定の遮光部に跨って光を透光するように形成されており、前記固定板の平面と直交する方向から見て、その遮光部と透光部とが前記固定板の遮光部と透光部と重なるように、前記固定板と平行で前記縞模様と直交する方向に移動可能に配置される複数の可動板と、前記固定板及び前記可動板の平面と直交する方向から発光する発光体と、前記複数の可動板のうち１つを前記縞模様と直交する方向に前記固定板の遮光部若しくは透光部の幅分だけ移動させ、前記固定板の透光部から現れた前記可動板の表示内容に前記発光体の光を通過させることにより該表示内容を表示させるための駆動用アクチュエータと、を備えたことをその要旨とする。
【０００９】
請求項２に記載の発明は、請求項１に記載の表示装置において、前記複数の可動板は、前記固定板の平面と直交する方向から見て、それぞれ重ならない位置に該可動板の移動方向一方に突出する突出部を有し、前記駆動用アクチュエータは、その駆動により前記縞模様と平行な方向に往復直線移動する可動体を有し、前記複数の可動板のうち１つを前記縞模様と直交する方向に前記固定板の遮光部若しくは透光部の幅分だけ押し出すように前記可動体を前記各突出部と対応する複数の位置のいずれかに配置することをその要旨とする。
【００１０】
請求項３に記載の発明は、請求項２に記載の表示装置において、前記突出部及び前記可動体の少なくとも一方には、該可動体の前記縞模様と平行な方向への移動を、該突出部を有する前記可動板の前記縞模様と直交する方向への移動に変換する斜面が形成されていることをその要旨とする。
【００１１】
請求項４に記載の発明は、請求項１〜３のいずれか１項に記載の表示装置において、前記固定板及び可動板には、該可動板が他の可動板、前記固定板及び前記発光体に密着することを防止するための突起が形成されていることをその要旨とする。
【００１２】
請求項５に記載の発明は、請求項１〜４のいずれか１項に記載の表示装置において、前記駆動用アクチュエータは、回転駆動する電動モータと、該電動モータの回転を前記可動体の往復直線運動に変換する駆動機構とを備えていることをその要旨とする。
【００１３】
（作用）
請求項１に記載の発明によれば、固定板は、複数の遮光部と透光部とを略同幅で縞模様に構成される。可動板は複数であり、複数の遮光部と透光部とを略同幅で縞模様に構成されるとともに、それぞれ対応する表示内容が所定の遮光部に跨って光を透光するように形成されており、固定板の平面と直交する方向から見て、その遮光部と透光部とが固定板の遮光部と透光部と重なるように、固定板と平行で縞模様と直交する方向に移動可能に配置される。発光体は、固定板及び可動板の平面と直交する方向から発光する。駆動用アクチュエータは、複数の可動板のうち１つを前記縞模様と直交する方向に固定板の遮光部若しくは透光部の幅分だけ移動させ、固定板の透光部から現れた可動板の表示内容に発光体の光を通過させることにより、該表示内容が表示される。このように構成すれば、複数の可動板を用いることができるので、可動板毎に表示内容を設定すれば、多種類の表示内容を表示することができる。又、高価な液晶パネル等の表示パネルや表示コントローラを用いることなく多種類の表示内容を表示できるので、安価な表示装置とすることができる。
【００１４】
請求項２に記載の発明によれば、複数の可動板は、固定板の平面と直交する方向から見て、それぞれ重ならない位置に該可動板の移動方向一方に突出する突出部を有している。これに対し、駆動用アクチュエータは、その駆動により前記縞模様と平行な方向に往復直線移動する可動体を有し、複数の可動板のうち１つを前記縞模様と直交する方向に固定板の遮光部若しくは透光部の幅分だけ押し出すように可動体を各突出部と対応する複数の位置のいずれかに配置する。このようにすれば、可動体を所定の位置に配置するだけで、可動板を前記縞模様と直交する方向に固定板の遮光部若しくは透光部の幅分だけ移動させることができるので、可動体の移動を容易且つ確実に行うことができる。
【００１５】
請求項３に記載の発明によれば、突出部及び可動体の少なくとも一方には、該可動体の前記縞模様と平行な方向への移動を、該突出部を有する可動板の前記縞模様と直交する方向への移動に変換する斜面が形成される。つまり、このような斜面を設けることにより、可動体の前記縞模様と平行な方向への移動が可動板の前記縞模様と直交する方向への移動に変換されるので、可動板を円滑に移動させることができる。
【００１６】
請求項４に記載の発明によれば、固定板及び可動板には、該可動板が他の可動板、固定板及び発光体に密着することを防止するための突起が形成される。つまり、このような突起を設けることにより、可動板が他の可動板、固定板及び発光体に密着することが防止されるので、可動板を円滑に移動させることができる。
【００１７】
請求項５に記載の発明によれば、駆動用アクチュエータは、回転駆動する電動モータと、該電動モータの回転を可動体の往復直線運動に変換する駆動機構とを備えている。従って、電動モータを用いることで、アクチュエータを簡単に構成でき、制御し易い。
【００１８】
【発明の実施の形態】
以下、本発明を具体化した一実施形態を図面に従って説明する。
図１及び図２は、本実施形態の表示装置１を示す。本実施形態の表示装置１は、図示しないが自動車のリアウインドの内側に配置され、後続車に運転者の意志を伝えるのに使用されるものである。
【００１９】
表示装置１は、ケース２、面発光体３、固定板４、第１〜第３の可動板５〜７及び駆動用アクチュエータ８を備えている。ケース２は、面発光体３、固定板４、可動板５〜７及び駆動用アクチュエータ８を収容すべく断面略四角形状をなす収容凹部２ａを有している。収容凹部２ａの底部２ｂには、略四角形板状をなす面発光体３が固定されている。面発光体３は、裏面３ｂ側が収容凹部２ａの底部２ｂと当接するように固定され、表面３ａ側（収容凹部２ａの開口部２ｃ側）が平面的に発光又は配光するように構成されている。
【００２０】
ケース２の開口部２ｃには、前記面発光体３と平行となるように略四角形状をなす固定板４が固定されている。固定板４には、図３に示すように、遮光部４ａと透光部４ｂとが同幅に横縞状となるように形成されている。遮光部４ａ及び透光部４ｂは、透明板に対して光を遮蔽する塗料を横縞状に塗布（印刷）することでその遮光部４ａが形成され、塗料が印刷されていない部分が透光部４ｂとなっている。
【００２１】
尚、図１〜図３において、固定板４に光を遮蔽する塗料が塗布された部分（遮光部４ａ）は斜線にて示してある。又、図１〜図３は、図面が煩雑になるのを防止するために、固定板４の遮光部４ａと透光部４ｂの数を少なくして描いてある。
【００２２】
固定板４と面発光体３との間には、それぞれ該固定板４と平行で上下方向に移動可能に第１〜第３の可動板５〜７がケース２に対して支持されている。第１の可動板５が固定板４側に配置され、第３の可動板７が面発光体３側に配置され、第２の可動板６が第１，第３の可動板５，７の間に配置される。
【００２３】
第１〜第３の可動板５〜７には、図４〜図６に示すように、それぞれ遮光部５ａ〜７ａと透光部５ｂ〜７ｂとが同幅に横縞状となるように形成されている。各可動板５〜７に形成される遮光部５ａ〜７ａと透光部５ｂ〜７ｂは、前記固定板４の遮光部４ａと透光部４ｂと同じ数だけ設けられている。各可動板５〜７の遮光部５ａ〜７ａ及び透光部５ｂ〜７ｂは、前記固定板４と同様に、透明板に対して光を遮蔽する塗料を横縞状に塗布（印刷）することでその遮光部５ａ〜７ａが形成され、塗料が印刷されていない部分が透光部５ｂ〜７ｂとなっている。
【００２４】
又、第１の可動板５には、図４に示すように、所定の遮光部５ａに跨って第１の表示内容である「Ｔｈａｎｋ  Ｙｏｕ！」の第１の文字列Ａ１が描かれている。又、第２の可動板６には、図５に示すように、所定の遮光部６ａに跨って第２の表示内容である「←左折します」の第２の文字列Ａ２が描かれている。又、第３の可動板７には、図６に示すように、所定の遮光部７ａに跨って第３の表示内容である「右折→します」の第３の文字列Ａ３が描かれている。これら各可動板５〜７の遮光部５ａ〜７ａに描かれる文字部分には塗料が塗布されておらず、その文字部分は透明となっている。
【００２５】
尚、図１，図２，図４〜図６において、各可動板５〜７に光を遮蔽する塗料が印刷された部分（各文字列Ａ１〜Ａ３以外の遮光部５ａ〜７ａ）は塗り潰して示してあるが、前記固定板４と同様の塗料が塗布されている。又、図１，図２，図４〜図６は、上記と同様、図面が煩雑になるのを防止するために、各可動板５〜７の遮光部５ａ〜７ａと透光部５ｂ〜７ｂの数を少なくして描いてある。
【００２６】
又、図２に示すように、各可動板５〜７の裏面側及び前記固定板４の裏面側には、各角部近傍に４個の半球状の突起４ｃ〜７ｃ（図２においては、２つのみ図示）が形成されている。この突起４ｃ〜７ｃは、各可動板５〜７がその他の可動板５〜７や固定板４、面発光体３に密着するのを防止するために設けられるものである。尚、各突起４ｃ〜７ｃは、各遮光部４ａ〜７ａに設けられている。又、各突起４ｃ〜７ｃは、エンボス加工により、固定板４及び各可動板５〜７に形成される。
【００２７】
又、図４〜図６に示すように、各可動板５〜７の下部には、下方に突出する突出部としてのタブ部５ｄ〜７ｄが形成されている。第１の可動板５のタブ部５ｄは、固定板４側から面発光体３側に向けて見た場合、左側に位置し、第２の可動板６のタブ部６ｄは中央に位置し、第３の可動板７のタブ部７ｄは右側に位置するようになっている。つまり、各可動板５〜７のタブ部５ｄ〜７ｄは、同方向から見た場合、重ならないようにずらして配置されている。又、各タブ部５ｄ〜７ｄは、下部に向かうほど幅狭となるように左右両側部が斜面５ｅ〜７ｅとなっている。
【００２８】
各可動板５〜７の下方には、図２に示すように、駆動用アクチュエータ８がケース２に対して固定されている。駆動用アクチュエータ８は、電動モータ９と駆動機構１０とを備えている。電動モータ９は、回転駆動を行うものである。駆動機構１０は、該電動モータ９の回転駆動により回転されるスクリュー１１と、該スクリュー１１と螺着する可動体１２とを備え、該可動体１２が該スクリュー１１の回転に基づいて往復直線移動を行うように構成されている。つまり、可動体１２は、電動モータ９の駆動に基づいて左右方向に移動するようになっている。可動体１２の上部には、各可動板５〜７のタブ部５ｄ〜７ｄと係合し各可動板５〜７を押し上げるための当接部１２ａが形成されている。
【００２９】
可動体１２は、通常、その当接部１２ａが各可動板５〜７のタブ部５ｄ〜７ｄと係合しない図７に示すホームポジション位置（以下、ＨＰ位置とする）に配置されている。可動体１２は、そのＨＰ位置から第１の可動板５のタブ部５ｄを上方に押し上げる図８に示す第１の位置Ｐ１と、第２の可動板６のタブ部６ｄを上方に押し上げる図９に示す第２の位置Ｐ２と、第３の可動板７のタブ部７ｄを上方に押し上げる図１０に示す第３の位置Ｐ３とのいずれかに配置される。尚、可動体１２の当接部１２ａは、上部に向かうほど幅狭となるように左右両側部が斜面１２ｂとなっている。そのため、可動体１２が各位置Ｐ１〜Ｐ３に配置される際、その当接部１２ａの斜面１２ｂに各可動板５〜７のタブ部５ｄ〜７ｄの斜面５ｅ〜７ｅが当接して該タブ部５ｄ〜７ｄが乗り上がるため、可動板５〜７が円滑に上方に押し上げられるようになっている。
【００３０】
ここで、前記各可動板５〜７は、固定板４側から面発光体３側に向けて見た場合に、その遮光部５ａ〜７ａと透光部５ｂ〜７ｂとが前記固定板４の遮光部４ａと透光部４ｂとそれぞれ一致する位置が通常位置である（図７参照）。そして、可動体１２は、その当接部１２ａが各可動板５〜７のタブ部５ｄ〜７ｄと係合する第１〜第３の位置Ｐ１〜Ｐ３に配置されると、該タブ部５ｄ〜７ｄを上方に押し上げ各可動板５〜７を上段位置に配置する（図８〜図１０参照）。このとき、固定板４の一組の遮光部４ａ及び透光部４ｂの上下方向幅を１ピッチとすると、可動体１２による各可動板５〜７の押し上げ量は、１／２ピッチ（固定板４の遮光部４ａ若しくは透光部４ｂの上下方向幅分）に設定されている。
【００３１】
即ち、固定板４側から面発光体３側に向けて見た場合、押し上げられた可動板５〜７の遮光部５ａ〜７ａと透光部５ｂ〜７ｂとが前記固定板４の遮光部４ａと透光部４ｂと一致しない（前記固定板４の透光部４ｂと遮光部４ａとが一致する）上段位置に該可動板５〜７を配置するようになっている。尚、この場合、押し上げられていない（通常位置にある）可動板５〜７は、その遮光部５ａ〜７ａと透光部５ｂ〜７ｂとが前記固定板４の遮光部４ａと透光部４ｂとそれぞれ一致している。従って、固定板４側から面発光体３側に向けて見た場合に、押し上げられた可動板５〜７の遮光部５ａ〜７ａに描かれた文字列Ａ１〜Ａ３が固定板４の透光部４ｂから現れるようになる。
【００３２】
このような駆動用アクチュエータ８（電動モータ９）は、制御装置１３にて制御される。この制御装置１３は、前記面発光体３も制御する。又、制御装置１３には、入力装置１４が接続されている。入力装置１４には、第１〜第３の文字列Ａ１〜Ａ３を表示するための各指令ボタン１４ａ〜１４ｃが設けられている。そして、制御装置１３は、各指令ボタン１４ａ〜１４ｃの操作に基づいた入力装置１４から第１〜第３の文字列Ａ１〜Ａ３を表示するための各指令信号が入力されると、入力された各指令信号に応じて電動モータ９及び面発光体３を制御する。
【００３３】
具体的には、第１の文字列Ａ１を表示する指令信号が入力されると、制御装置１３は、電動モータ９を駆動し、可動体１２を第１の位置Ｐ１に移動させる。すると、図８に示すように、可動体１２の当接部１２ａに第１の可動板５のタブ部５ｄが乗り上げて該可動板５が１／２ピッチ（固定板４の遮光部４ａ若しくは透光部４ｂの上下方向幅分）上方に押し上げられて上段位置に配置される。この場合、押し上げられていない（通常位置にある）第２，第３可動板６，７は、その遮光部６ａ，７ａと透光部６ｂ，７ｂとが前記固定板４の遮光部４ａと透光部４ｂとそれぞれ一致している。従って、固定板４側から面発光体３側に向けて見た場合に、上段位置に配置される第１の可動板５の遮光部５ａに描かれた第１の文字列Ａ１が固定板４の透光部４ｂから現れる。尚、この場合、固定板４側から面発光体３側に向けて見た場合に、透明部分は第１の文字列Ａ１のみとなる。そして、制御装置１３は、面発光体３を発光させる。すると、面発光体３から発する光が透明部分である第１の文字列Ａ１を通過し、第１の文字列Ａ１、即ち「Ｔｈａｎｋ  Ｙｏｕ！」が表示される。
【００３４】
又、第２の文字列Ａ２を表示する指令信号が入力されると、制御装置１３は、上記と同様に、電動モータ９を駆動して可動体１２を第２の位置Ｐ２に移動させ、図９に示すように第２の可動板６を上段位置に配置させる。すると、第２の文字列Ａ２が固定板４の透光部４ｂから現れる。そして、制御装置１３は、面発光体３を発光させ、第２の文字列Ａ２、即ち「←左折します」が表示される。
【００３５】
又、第３の文字列Ａ３を表示する指令信号が入力されると、制御装置１３は、上記と同様に、電動モータ９を駆動して可動体１２を第３の位置Ｐ３に移動させ、図１０に示すように第３の可動板７を上段位置に配置させる。すると、第３の文字列Ａ３が固定板４の透光部４ｂから現れる。そして、制御装置１３は、面発光体３を発光させ、第３の文字列Ａ３、即ち「右折→します」が表示される。
【００３６】
このように構成された表示装置１は、車両の後方にケース２の開口部２ｃ側、即ち固定板４側が向くように配設され、種々の文字列Ａ１〜Ａ３を後続車に対して表示するようになっている。
【００３７】
次に、本実施形態の表示装置１の特徴的な作用効果を記載する。
（１）固定板４は、複数の遮光部４ａと透光部４ｂとを同幅で縞模様（横縞状）に構成される。可動板５〜７は複数であり、複数の遮光部５ａ〜７ａと透光部５ｂ〜７ｂとを同幅で縞模様（横縞状）に構成され、それぞれ対応する文字列Ａ１〜Ａ３が各遮光部５ａ〜７ａに跨って光を透光するように形成される。各可動板５〜７は、固定板４の平面と直交する方向から見て、その遮光部５ａ〜７ａと透光部５ｂ〜７ｂとが固定板４の遮光部４ａと透光部４ｂと重なるように、固定板４と平行で縞模様と直交する方向に移動可能に配置される。面発光体３は、固定板４及び可動板５〜７の平面と直交する方向から発光する。駆動用アクチュエータ８は、複数の可動板のうち１つを前記縞模様と直交する方向（上方向）に固定板４の遮光部４ａ若しくは透光部４ｂの幅分だけ移動させ、固定板４の透光部４ｂから現れた可動板５〜７の文字列Ａ１〜Ａ３に面発光体３の光を通過させることにより、該文字列Ａ１〜Ａ３が表示される。このように構成すれば、複数の可動板５〜７を用いることができるので、可動板５〜７毎に文字列Ａ１〜Ａ３を設定すれば、多種類の文字列Ａ１〜Ａ３を表示することができる。又、高価な液晶パネル等の表示パネルや表示コントローラを用いることなく多種類の文字列Ａ１〜Ａ３を表示できるので、安価な表示装置１とすることができる。
【００３８】
（２）複数の可動板５〜７は、固定板４の平面と直交する方向から見て、それぞれ重ならない位置に該可動板５〜７の移動方向一方（下方）に突出するタブ部５ｄ〜７ｄを有している。これに対し、駆動用アクチュエータ８は、その駆動により前記縞模様と平行な方向に往復直線移動する可動体１２を有している。アクチュエータ８は、複数の可動板５〜７のうち１つを前記縞模様と直交する方向（上方向）に固定板４の遮光部４ａ若しくは透光部４ｂの幅分だけ押し出すように可動体１２を各タブ部５ｄ〜７ｄと対応する複数の位置Ｐ１〜Ｐ３のいずれかに配置する。このようにすれば、可動体１２を所定の位置Ｐ１〜Ｐ３に配置するだけで、可動板５〜７を前記縞模様と直交する方向に固定板４の遮光部４ａ若しくは透光部４ｂの幅分だけ移動させることができるので、可動体１２の移動を容易且つ確実に行うことができる。
【００３９】
（３）タブ部５ｄ〜７ｄ及び可動体１２には、該可動体１２の前記縞模様と平行な方向への移動を、該タブ部５ｄ〜７ｄを有する可動板５〜７の前記縞模様と直交する方向への移動に変換する斜面５ｅ〜７ｅが形成される。つまり、このような斜面５ｅ〜７ｅを設けることにより、可動体１２の前記縞模様と平行な方向への移動が可動板５〜７の前記縞模様と直交する方向への移動に変換されるので、可動板５〜７を円滑に移動させることができる。
【００４０】
（４）固定板４及び可動板５〜７には、該可動板５〜７が他の可動板５〜７、固定板４及び面発光体３に密着することを防止するための突起４ｃ〜７ｃが形成される。つまり、このような突起４ｃ〜７ｃを設けることにより、可動板５〜７が他の可動板５〜７、固定板４及び面発光体３に密着することが防止されるので、可動板５〜７を円滑に移動させることができる。
【００４１】
（５）駆動用アクチュエータ８は、回転駆動する電動モータ９と、該電動モータ９の回転を可動体１２の往復直線運動に変換する駆動機構１０とを備えている。従って、電動モータ９を用いることで、アクチュエータ８を簡単に構成でき、制御し易い。
【００４２】
尚、本発明の実施形態は、以下のように変更してもよい。
○上記実施形態では、可動板５〜７の数が３枚であったが、３枚以上であってもよい。
【００４３】
○上記実施形態の表示内容としての文字列Ａ１〜Ａ３はこれに限定されるものではなく、適宜変更してもよい。又、図形や記号等を表示するようにしてもよい。
【００４４】
○上記実施形態では、固定板４の遮光部４ａと透光部４ｂと、可動板５〜７の遮光部５ａ〜７ａと透光部５ｂ〜７ｂとをそれぞれ同幅に設定したが、略同幅であっても（つまり、若干幅が異なっても）使用上問題はない。例えば、固定板４の遮光部４ａを意図的に僅かに幅広に設定（この場合、透光部４ｂはその分幅狭に設定）してもよい。このようにすれば、固定板４及び可動板５〜７の製造誤差や組付誤差、可動板５〜７の移動誤差等を吸収することができる。
【００４５】
○上記実施形態では、固定板４及び可動板５〜７に遮光部４ａ〜７ａ及び透光部４ｂ〜７ｂを横縞状に構成したが、これに限らず、例えば縦縞状としてもよい。
【００４６】
○上記実施形態では、可動板５〜７を上方向に押し上げて文字列Ａ１〜Ａ３を表示するようにしたが、可動板５〜７を下方向に押し下げて文字列Ａ１〜Ａ３を表示するようにしてもよい。
【００４７】
○上記実施形態では、固定板４及び可動板５〜７に突起４ｃ〜７ｃを設けたが、突起４ｃ〜７ｃの形状や数、位置はこれに限定されるものではなく、適宜変更してもよい。又、突起４ｃ〜７ｃをエンボス加工により形成したが、突状に樹脂を塗布したり、別部品を取り付けるようにしてもよい。
【００４８】
○上記実施形態では、可動板５〜７に設けたタブ部５ｄ〜７ｄ及び可動体１２の形状はこれに限定されるものではなく、適宜変更してもよい。又、タブ部５ｄ〜７ｄ及び可動体１２の両方に斜面５ｅ〜７ｅ，１２ｂを設けたが、一方のみに設けてもよい。
【００４９】
○上記実施形態では、平面的に発光又は配光可能な略四角形板状の面発光体３を用いたが、発光体３の形状はこれに限定されるものではない。又、自然光を反射して利用する発光体であってもよい。
【００５０】
○上記実施形態では、可動板５〜７が上段位置に配置されてから面発光体３を発行させるようにしたが、面発光体３を発光させてから可動板５〜７を上段位置に配置するようにしてもよい。
【００５１】
○上記実施形態では、入力装置１４の各指令ボタン１４ａ〜１４ｃの操作に基づいて第１〜第３の文字列Ａ１〜Ａ３を表示するようにしたが、例えば、ウインカーレバースイッチの操作に基づいて第２の文字列Ａ２である「←左折します」や第３の文字列Ａ３である「右折→します」を表示させたり、ハザードランプを点灯させるスイッチの操作に基づいて第１の文字列Ａ１である「「Ｔｈａｎｋ  Ｙｏｕ！」を表示させたりするようにしてもよい。又、これら以外のスイッチを利用してもよい。
【００５２】
○上記実施形態では、駆動用アクチュエータ８を電動モータ９及び駆動機構１０を用いて構成したが、例えば電磁ソレノイド等、他の駆動源を用いて構成してもよい。
【００５３】
○上記実施形態では、表示装置１を車両に搭載したが、車両以外の場所に設けてもよい。
【００５４】
【発明の効果】
以上詳述したように、本発明によれば、安価で且つ多種類の表示内容を表示することができる表示装置を提供することができる。
【図面の簡単な説明】
【図１】本実施形態の表示装置を示す概略構成図。
【図２】表示装置の断面図。
【図３】固定板の構成を説明するための正面図。
【図４】第１の可動板の構成を説明するための正面図。
【図５】第２の可動板の構成を説明するための正面図。
【図６】第３の可動板の構成を説明するための正面図。
【図７】表示装置の動作を説明するための正面図。
【図８】表示装置の動作を説明するための正面図。
【図９】表示装置の動作を説明するための正面図。
【図１０】表示装置の動作を説明するための正面図。
【符号の説明】
３…発光体としての面発光体、４…固定板、４ａ…遮光部、４ｂ…透光部、４ｃ…突起、５〜７…可動板としての第１〜第３の可動板、５ａ〜７ａ…遮光部、５ｂ〜７ｂ…透光部、５ｄ〜７ｄ…突出部としてのタブ部、５ｃ〜７ｃ…突起、５ｅ〜７ｅ…斜面、８…駆動用アクチュエータ、９…電動モータ、１０…駆動機構、１２…可動体、１２ｂ…斜面、Ａ１〜Ａ３…表示内容としての第１〜第３の文字列、Ｐ１〜Ｐ３…位置としての第１〜第３の位置。
【図１】
2004198790.tif 000003
【図２】
2004198790.tif 000004
【図３】
2004198790.tif 000005
【図４】
2004198790.tif 000006
【図５】
2004198790.tif 000007
【図６】
2004198790.tif 000008
【図７】
2004198790.tif 000009
【図８】
2004198790.tif 000010
【図９】
2004198790.tif 000011
【図１０】
2004198790.tif 000012